(57)【特許請求の範囲】
【請求項１】
一方の面に突出部（４４）を有し他方の面が壁面（５０）と当接する当接部（４０）と、
光を遮蔽する遮蔽装置（１４，１６）を支持するための遮蔽装置支持部（１０）の端部に、該遮蔽装置支持部の長手方向へ移動可能に支持され、前記当接部を壁面側へ押圧することにより前記遮蔽装置支持部を前記壁面に支持する押圧支持部（２０）と、
前記遮蔽装置支持部の端部に前記長手方向へ移動可能に支持されており、前記長手方向の壁面側へ移動した状態において、前記遮蔽装置支持部の端部と前記壁面との間に画成される間隙の少なくとも一面を覆うと共に、一端部が前記遮蔽装置支持部の端部に支持され、他端部が前記突出部により支持されるカバー（３０）と、
を備え、
前記カバーの天井壁（３４）は、前記長手方向に直交する前後方向に互いに離間するように２つに分割されており、
前記２つに分割された天井壁それぞれの少なくとも前記他端部には、前記カバーが前記間隙の少なくとも一面を覆う状態において、前記当接部との接触を避けるための切欠き（３６）が設けられている
ことを特徴とする取付装置。
【請求項２】
前記突出部は、前記当接部の両側端部に設けられた一対の突起（４４，４４）であり、前記カバーの他端部が該突起により支持された状態において、前記カバー内に内包されることを特徴とする請求項１記載の取付装置。
【請求項３】
前記当接部は、前記カバーの他端部を支持した状態において、前記カバーにより少なくとも該当接部の側面の一部が覆われることを特徴とする請求項１または請求項２記載の取付装置。
【請求項４】
前記カバーは、該カバーの他端部が前記突出部により支持された状態において、移動不能に該突出部と係合することを特徴とする請求項１〜請求項３の何れか１項に記載の取付装置。
【請求項５】
前記突出部は、前記カバーの他端部を支持した状態において、前記カバーにおける上方の両角隅部裏面にそれぞれ当接して前記カバーと係合することを特徴とする請求項４記載の取付装置。
【発明の詳細な説明】
【技術分野】
【０００１】
この明細書に開示される技術は、壁面に圧接させることにより、横型ブラインドやロールスクリーンといった遮蔽装置の支持部を壁面に支持させて当該遮蔽装置を取り付ける取付装置に関する。
【背景技術】
【０００２】
従来、この種の取付装置としては、特許文献１に示されるような固定装置が知られている。これに示される固定装置は、ヘッドボックス端部において長手方向に移動可能に支持された移動軸と、移動軸のヘッドボックスからの突出量をヘッドボックス外から調節可能とした調節手段と、移動軸に対し、ヘッドボックスの長手方向に移動可能に支持された圧接軸と、圧接軸に一定の付勢力を付与する状態と、圧接軸に付勢力を付与しない状態とを選択可能とした固定操作手段とを備えている。これにより、対向する壁面間において、調節手段としてのダイヤルを操作して圧接軸の先端部を壁面に取り付けられた軸受け部材に当接させ、その状態で固定操作手段としての操作レバーを回動させることにより、コイルスプリングの付勢力に基づく一定の圧接力で圧接軸を軸受け部材に圧接し、ヘッドボックスを壁面間に固定することを可能にしている。
【０００３】
ところで、このような取付装置には、遮蔽装置の支持部であるヘッドボックスと壁面との間に画成される間隙を覆うためのカバー（ボックスキャップ）が広く用いられている。例えば、特許文献１では、ボックスキャップがヘッドボックスの外周面に移動可能に支持されており、ヘッドボックスを壁面間に固定した状態で、ボックスキャップをヘッドボックス端部に移動させることにより、ヘッドボックスから突出する移動軸及び圧接軸を覆って、ヘッドボックス端部の美観を向上させるようにしている。
【先行技術文献】
【特許文献】
【０００４】
【特許文献１】特開２００１−２０７７５４号公報
【発明の概要】
【発明が解決しようとする課題】
【０００５】
しかしながら、ボックスキャップは移動軸及び圧接軸を覆ったときに、ヘッドボックス端部において片持ちで支持された状態となっており、ボックスキャップとヘッドボックスとが重複する長手方向における幅を大きくする必要がある。この場合、ボックスキャップをヘッドボックスに移動可能に支持するためには、ヘッドボックス前面に設けられた、例えばスラットを傾動させるための傾動機構といった機構部品をボックスキャップと干渉しないよう配置しなければならない。そのため、機構部品をヘッドボックスの端部に寄せることができず、遮蔽装置の長手方向のサイズをコンパクトにできないという問題があった。
【０００６】
本発明は上述した問題点を解決するためになされたものであり、コンパクトな遮蔽装置を実現できる遮蔽装置の取付装置を提供することを目的とする。
【課題を解決するための手段】
【０００７】
上述した課題を解決するため、本発明の一態様は、一方の面に突出部を有し他方の面が壁面と当接する当接部と、光を遮蔽する遮蔽装置を支持するための遮蔽装置支持部の端部に、該遮蔽装置支持部の長手方向へ移動可能に支持され、前記当接部を壁面側へ押圧することにより前記遮蔽装置支持部を前記壁面に支持する押圧支持部と、前記遮蔽装置支持部の端部に前記長手方向へ移動可能に支持されており、前記長手方向の壁面側へ移動した状態において、前記遮蔽装置支持部の端部と前記壁面との間に画成される間隙の少なくとも一面を覆うと共に、一端部が前記遮蔽装置支持部の端部に支持され、他端部が前記突出部により支持されるカバーとを備えることを特徴とする。
【発明の効果】
【０００８】
本発明によれば、コンパクトな遮蔽装置を実現できる。
【図面の簡単な説明】
【０００９】
【図１】本実施の形態に係る取付装置を組み込んだブラインドを示す正面図である。
【図２】ヘッドボックス側端部の斜視図である。
【図３】ブラケットカバーが基準位置にある状態におけるヘッドボックス側端部の斜視図である。
【図４】ブラケットカバーが閉塞位置にある状態におけるヘッドボックス側端部の斜視図である。
【図５】ブラケットカバーの斜視図である。
【図６】ブラケットカバーが基準位置にある状態におけるヘッドボックス側端部の正面図である。
【図７】ブラケットカバーが閉塞位置にある状態におけるヘッドボックス側端部の正面図である。
【図８】ブラケットカバーが基準位置にある状態において、その支持方法を説明するためのヘッドボックス側端部の正面図である。
【図９】ブラケットカバーが閉塞位置にある状態において、その支持方法を説明するためのヘッドボックス側端部の正面図である。
【図１０】ブラケットカバーが基準位置にある状態において、その支持方法を説明するためのヘッドボックス側端部の平面図である。
【図１１】ブラケットカバーが閉塞位置にある状態において、その支持方法を説明するためのヘッドボックス側端部の正面図である。
【発明を実施するための形態】
【００１０】
以下、本発明の実施の形態について図面を参照しつつ説明する。本実施の形態においては、好適な形態とした本発明に係る取付装置を横型ブラインドに組み込んだ場合を例に取り説明を行う。なお、本明細書及び図面において、実質的に同一の機能を有する構成要素については、同一の符号を付することにより重複説明を省略する。
【００１１】
（ブラインド１）
図１〜図５に示されるように、ブラインド１は、ヘッドボックス１０を備え、ヘッドボックス１０の両側端部が、側面付けブラケット２０，２０によってネジを用いずにそれぞれ壁面５０，５０に取付けられるものである。このヘッドボックス１０の両側端部には、当該両側端部と壁面５０，５０との間の間隙を覆うと共に、ヘッドボックス１０から突出した側面付けブラケット２０，２０を覆うブラケットカバー３０，３０が取付けられている。側面付けブラケット２０は、壁面５０に固着された圧接部４０を押圧することにより、ヘッドボックス１０を支持している。本実施の形態においては、この側面付けブラケット２０と、ブラケットカバー３０と、圧接部４０とが本発明に係る取付装置にあたるものである。
【００１２】
以後、図１に示されるブラインド１の正面を前方、その背面を後方と称し、これら面方向を前後方向と称して説明を行う。また、便宜上、図２にはブラケットカバー３０を図示していない。
【００１３】
（ヘッドボックス１０）
ヘッドボックス１０は、側面付けブラケット２０のみならず、上面付けブラケットにも取り付け可能な兼用タイプのヘッドボックスである。そのため、図２に示されるように、上方が開口した断面コの字型をなし、その一対の上端部がそれぞれＴ字型に形成されており、後方側の後方壁部と下方側の底部壁部との間に下方に突出した突出壁１０ａが形成されている。
【００１４】
図１に示されるように、このヘッドボックス１０からは、複数の梯子状のラダーコード１２，１２が垂下しており、これによって遮蔽材を構成する多数段のスラット１４が整列状態に支持されている。ラダーコード１２，１２の一端は、最下段のスラット１４の下方に配置されてスラット１４と共に遮蔽材を構成するボトムレール１６に連結される。また、ヘッドボックス１の一端部における前面には、第１機構部１８ａ及び第２機構部１８ｂが設けられている。
【００１５】
第１機構部１８ａは、操作棒１８２とヘッドボックス１０内に収容されてラダーコード１２，１２を傾動する図示しない傾動機構とを有し、操作棒１８２の回転に応じてラダーコード１２，１２と共にスラット１４を傾動させるものである。第２機構部１８ｂは、補助コード１８４と、ヘッドボックス１０内に収容されて補助コード１８４の一端部にコード止めを介して連結された複数の昇降コード１８６と、昇降コード１８６の係止及び係止解除を行う図示しない昇降停止機構と、昇降コード１８６をヘッドボックスから垂下させる導出口１８８と、を有し、補助コード１８４あるいは昇降コード１８６の引張またはその解放に応じてボトムレール１６と共にスラット１４を昇降させるものである。これら第１機構部１８ａおよび第２機構部１８ｂは、広くブラインドに用いられる一般的な仕様の機構部品であるため、ここでの詳細な説明は省略する。
【００１６】
（側面付けブラケット２０）
側面付けブラケット２０は、図２に示されるように、ヘッドボックス１０の側端部に固定されるケース２２と、ヘッドボックス１０の長手方向に移動可能に且つ回転不能にケース２２内で支持され、ケース２２内に引込みまたは突出可能なボルト軸２４とを備える。また、側面付けブラケット２０は、ヘッドボックス１０及びケース２２の外側にあって、ケース２２の端面に当接された状態で回転されることで、ボルト軸２４のヘッドボックス１０及びケース２２からの突出量を調節可能なナット部材２６と、揺動可能にボルト軸２４先端に設けられ、圧接部４０に先端が嵌合可能な嵌合部２８とを備える。
【００１７】
この側面付けブラケット２０は、例えば特許文献１に記載の固定装置や、特開２０１２−０９７４６１号公報に記載の取付装置といった一般的な側面付けブラケットを流用することができ、ここでの上述した各構成の詳細な説明は省略する。
【００１８】
（ブラケットカバー３０）
ブラケットカバー３０は、図３及び図４に示されるように、ヘッドボックス１０の長手方向にスライド可能に取り付けられており、その全体がヘッドボックス１０の側端部に支持されている基準位置から壁面５０側へスライドした状態において、ヘッドボックス１０の側端部から突出した側面付けブラケット２０を覆うと共にヘッドボックス１０の側端部と壁面５０との間の間隙を覆うものである。以後、ブラケットカバー３０における、壁面５０側へのスライド後の位置を閉塞位置と称して説明を行う。ブラケットカバー３０は、この閉塞位置において、後述する圧接部４０の支持突起４４と係合し、ヘッドボックス１０の側端部と当該支持突起４４とにより支持される。なお、本実施の形態におけるブラケットカバー３０は、上記の断面コの字型のヘッドボックス１０の形状に追従する形状をなすことで、高い意匠性を実現している。
【００１９】
具体的には、図５に示されるように、ブラケットカバー３０は前方壁部３２ａと、後方壁部３２ｂと、底部壁部３２ｃとからなる上方が開口した略断面コの字型の形状をなしており、後方壁部３２ｂと底部壁部３２ｃとの間が、ヘッドボックス１０の突出壁１０ａに沿うようＵ字型に下方に突出している。前方壁部３２ａ及び後方壁部３２ｂのそれぞれの上端部３４は、ヘッドボックス１０のＴ字型上端部の外側の側面及び上面を囲う形状をなしており、その内側（互いが対向する側）側端部がヘッドボックス１０のＴ字型上端部の内側の側面を一部覆うように、下方に突き出している。
【００２０】
このように、前方壁部３２ａ及び後方壁部３２ｂのそれぞれの上端部３４が、ヘッドボックス１０のＴ字型上端部と当接することにより、ブラケットカバー３０はヘッドボックス１０に対して係止されている。また、ブラケットカバー３０は、上方が開口したコの字型をなしているため、ヘッドボックス１０に取り付ける際には、ヘッドボックス１０の長手方向から、即ち側面から取り付けることも、前方壁部３２ａと後方壁部３２ｂとを離間させるように撓ませて下方から取り付けることもできる。
【００２１】
また、ブラケットカバー３０の上端部３４の両側端には、ブラケットカバー３０がスライドして閉塞位置にある状態において、圧接部４０の上端部を逃がすための圧接部４０の上端部の厚み分の切欠き３６が形成されている。なお、切欠き３６が両側端部に形成されているため、ブラケットカバー３０はヘッドボックス１０に対して左右兼用とすることができる。
【００２２】
（圧接部４０）
圧接部４０は、図２〜図４に示されるように、ボルト軸２４により壁面５０に対して圧接される略四角形状をなした平板部材であり、一方の面に嵌合部２８と当接する受部４２が形成され、他方の面が壁面５０と当接して固着される。具体的には、ボルト軸２４が壁面５０の方向へ移動することで、嵌合部２８先端に設けられた凸部が受部４２に設けられた凹部に嵌合する。この嵌合後に更にボルト軸２４が壁面５０の方向へ移動することにより押圧力が受部４２に与えられ、壁面５０に対して圧接されることにより圧接部４０は側面付けブラケット２０を支持している。なお、壁面５０との固着は、図示しない接着層や接着剤等によりなされてもよく、ネジといった螺合部材を用いて壁面５０に固定されるようにしてもよい。また、圧接部４０の上方両側端部には、受部４２がなす面より面外方向に、即ちヘッドボックス１０側端部に向けて突出する一対の支持突起４４，４４が設けられている。
【００２３】
一対の支持突起４４，４４は、それぞれ上端部が対向する方向に折れ曲がった所謂Ｌ字型をなしており、ブラケットカバー３０が閉塞位置まで壁面５０の方向へスライドした際に、ブラケットカバー３０と係合してこれを支持するものである。具体的には、一対の支持突起４４，４４のそれぞれは、ブラケットカバー３０の２つの上方角隅部分の裏面、つまり、切欠き３６近傍の上端部３４の裏面、及び、前方壁部３２ａまたは後方壁部３２ｂの上端部の内面にそれぞれ当接することで係合し、ブラケットカバー３０を係止することができる。
【００２４】
このようにブラケットカバー３０と支持突起４４，４４とが係合するため、ブラケットカバー３０を上下方向及び前後方向の移動を規制して安定した支持を実現することができ、例えば第１機構部１８ａ及び第２機構部１８ｂの操作時の振動等により、ブラケットカバー３０がヘッドボックス１０側へ移動してしまい、ヘッドボックス１０と壁面５０との間の間隙が露出してしまうということを防止できる。なお、支持突起４４は、ブラケットカバー３０との係合がスムーズに行われるよう、その先端の上方側及び前方側の側面がテーパー状に先細りに形成されることが好ましい。
【００２５】
本実施の形態においては、一対の支持突起４４，４４のそれぞれの外側側面は、圧接部４０の側面と面一となるように形成されている。このように構成することにより、図４、図６及び図７に示されるように、圧接部４０の上端部を除いた側面全面を前方及び後方から視認不能にブラケットカバー３０により覆うことができると共に、ブラケットカバー３０を壁面５０に当接させることができる。なお、ブラケットカバー３０に切欠き３６が形成されているため、本実施の形態に係る圧接部４０のように上端部がブラケットカバー３０上面より突出するサイズであっても、ブラケットカバー３０を壁面５０に当接させることができる。したがって、ブラケットカバー３０と壁面５０との間に隙間を生じることなく、優れた美観を呈することができ、高い意匠性を実現することができる。
【００２６】
なお、一対の支持突起４４，４４のそれぞれの外側側面は、受部４２の側面と必ずしも面一でなくてもよく、圧接部４０の前後方向の長さ、即ち側面間の長さが一対の支持突起４４，４４のそれぞれの外側側面間の長さ未満、又は、超える長さであってもよい。圧接部４０の前後方向の長さが、一対の支持突起４４，４４のそれぞれの外側側面間の長さを超える場合は、ブラケットカバー３０と圧接部４０とが面一となるよう、ブラケットカバー３０の前後方向の長さと同一とすることが好ましい。
【００２７】
以上に説明した本実施の形態に係るブラインド１によれば、ブラケットカバー３０は、スライド前の基準位置では、図８及び図１０に示されるようにヘッドボックス１０の側端部における上面全面で支持される。一方、スライド後の閉塞位置では、一端部が図９及び図１１の符号Ａに示されるようにヘッドボックス１０側端部における末端の上面２点で支持されると共に、他端部が図９及び図１１の符号Ｂに示されるように支持突起４４，４４の上面２点で支持される。このような構成により、スライド後にブラケットカバー３０をヘッドボックス１０の側端部のみで支持するような片持ちのものと比較して、スライド後にヘッドボックス１０の側端部全面で支持される必要がないため、ヘッドボックス１０の側端部とブラケットカバー３０とが重複する幅、即ち支持する面積を減少させることができる。
【００２８】
更に、ブラケットカバー３０は、閉塞位置にある状態でその一端部が少しでもヘッドボックス１０の側端部に支持されていればよいため、ブラケットカバー３０の移動方向（ヘッドボックス１０の長手方向）の幅を小さくすることができる。これにより、機構部品１８ａ，１８ｂをヘッドボックス１０の一端部に寄せることができ、延いてはブラインド１を小幅に構成することが可能となる。
【００２９】
なお、本実施の形態においては、取付装置が横型ブラインドであるブラインド１に組み込まれる場合を例に取り説明を行ったが、取付装置をロールスクリーン型やカーテン等、様々な遮蔽装置に適用してもよい。例えばロールスクリーンに適用する場合、ブラケットカバー３０は、ヘッドボックスではなく、ロールスクリーン用のセットフレームあるいは両端に側面付けブラケットを支持するバー材に支持されるように構成することが好ましい。
【００３０】
また、本実施の形態においては、ブラケットカバー３０に切欠き３６を設けて圧接部４０の上端部を逃がすよう構成されているが、切欠き３６を設けずに圧接部４０が完全にブラケットカバー３０内に内包されるようにしてもよい。
【００３１】
また、圧接部４０は一対の支持突起４４，４４が設けられていると説明したが、これに限定されるものではなく、ブラケットカバー３０の一端が圧接部４０に係合して係止できさえすればよい。例えば、ブラインド前後方向に亘る１つの平板部材を支持突起として受部４２上方または下方に設けてこれとブラケットカバー３０とを係合させたり、圧接部４０の両側端部中央と受部４２上方とにそれぞれ支持突起を設けて、この３つの支持突起とブラケットカバー３０とを係合させたりしてもよい。
【００３２】
また、本実施の形態におけるブラケットカバー３０は、ヘッドボックス１０の形状に追従する形状をなすと説明したが、これに限定されるものではない。閉塞位置にある状態でヘッドボックス１０の側端部末端と支持突起４４，４４とで支持可能であれば、ヘッドボックス１０の形状によらず、断面多角形や円筒形等に形成してもよい。
【００３３】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【００３４】
なお、特許請求の範囲に記載の取付装置は、例えば前述の実施の形態における側面付けブラケット２０、ブラケットカバー３０及び圧接部４０に対応する。当接部は、例えば圧接部４０に対応し、突出部及び突起部は、例えば支持突起４４に対応する。押圧支持部は、例えば側面付けブラケット２０に対応し、カバーは、例えばブラケットカバー３０に対応する。遮蔽装置は、例えばスラット１４、ボトムレール１６に対応し、遮蔽装置支持部は、ヘッドボックス１０に対応する。
【符号の説明】
【００３５】
１０  ヘッドボックス
１４  スラット
１６  ボトムレール
２０  側面付けブラケット
３０  ブラケットカバー
４０  圧接部
４４  支持突起
５０  壁面
【図１】
0006416021.tif 000002
【図２】
0006416021.tif 000003
【図３】
0006416021.tif 000004
【図４】
0006416021.tif 000005
【図５】
0006416021.tif 000006
【図６】
0006416021.tif 000007
【図７】
0006416021.tif 000008
【図８】
0006416021.tif 000009
【図９】
0006416021.tif 000010
【図１０】
0006416021.tif 000011
【図１１】
0006416021.tif 000012